(57)【特許請求の範囲】
【請求項１】
原水流路と隣接する薬剤収容室に収容された混合用薬剤を原水に添加混合しつつ下流側に流下させる混合用アタッチメントであって、
前記薬剤収容室の上流側端部における流入口に設けられた前記混合用薬剤の逆流防止機構と、前記薬剤収容室の下流側端部に設けられた、前記原水流路への流出口を外部からの操作によって開閉する流出口開閉手段とを備え、
前記流出口開閉手段による前記流出口の開放操作によって前記流出口を開放すると共に、前記原水の圧力によって前記逆流防止機構を開放して前記原水を前記流入口から前記薬剤収容室内に流入させて、前記流入口から流入して前記流出口から流出する原水の副流れを生じさせ、該副流れに帯同して前記流出口から流出する前記薬剤収容室内の混合用薬剤を、前記原水流路を流下する原水に引き込むようにして前記原水流路内の原水に流出させて、前記流入口から前記薬剤収容室を経て前記原水流路内に流出する前記混合用薬剤を混合した原水の前記副流れを生じさせつつ、前記混合用薬剤を前記原水に添加混合するようになっており、
前記流出口開閉手段は、前記流出口に摺動可能に挿入されたロッド状の開閉摺動部からなり、該開閉摺動部を摺動して、これの側面に形成された切り欠きを前記原水流路と前記薬剤収容室とに跨って配置することにより、前記流出口を開放された状態とする混合用アタッチメント。
【請求項２】
前記流出口開閉手段は、バネの付勢力に抗して外部に突出する押圧部を押し込むことにより、前記流出口を開放させる薬剤供給押釦である請求項１に記載の混合用アタッチメント。
【請求項３】
前記原水流路の管径が、前記流出口を挟んだ上流側よりも下流側の方が大きくなっている請求項１又は２に記載の混合用アタッチメント。
【請求項４】
前記薬剤収容室には、内部の水を排除するための水抜き開口が設けられ、該水抜き開口は、バネの付勢力に抗して水抜き押釦を押し込むことにより開放されて内部の水が排除される請求項１〜３のいずれか１項に記載の混合用アタッチメント。
【請求項５】
前記薬剤収容室には、内部に混合用薬剤を供給するための薬剤供給口が設けられ、該薬剤供給口の断面形状と合致する先端部断面形状を備える薬剤供給ノズルを挿入して該薬剤供給口を開放することにより、供給装置から前記薬剤収容室に混合用薬剤を供給する請求項１〜４のいずれか１項に記載の混合用アタッチメント。
【請求項６】
シャワー器具に取り付けて使用され、前記薬剤収容室に収容された混合用薬剤が身体用薬剤である請求項１〜５のいずれか１項に記載の混合用アタッチメント。
【発明の詳細な説明】
【０００１】
【発明の属する技術分野】
本発明は、原水流路と隣接する薬剤収容室に収容された混合用薬剤を原水に添加混合しつつ流下させる混合用アタッチメントに関し、特にシャワー器具に取り付けて使用する混合用アタッチメントに関する。
【０００２】
【従来の技術及び発明が解決しようとする課題】
例えばシャワー器具等の散布器具において、ホース等の管路を経て供給される原水に入浴剤等の薬剤を混合用薬剤として添加混合し、これらの混合用薬剤とともに原水を散布できるようにしたアタッチメントが、例えば特開平８−１８７４５４号公報に開示されている。
【０００３】
特開平８−１８７４５４号公報に記載のアタッチメントは、図８に示すように、外部容器５０の内部に薬剤収容室としての内部容器５１が設けられた２重構造を備え、ホース等からなる管路や散布器具に取り付けて使用されるものである。そして、内部容器５１には混合用薬剤が収容されており、内部容器５１の入液口５２に設けられたバルブ５３を開閉して原水を内部に流入させ、流入した原水に混合用薬剤を混合させつつ流出口５４を介して流出させて、原水流路５５を通過する原水に合流させることにより、混合用薬剤が添加混合された状態で原水を散布器具から散布できるようにする。
【０００４】
しかしながら、特開平８−１８７４５４号公報に記載のアタッチメントによれば、原水に混合用薬剤を混合させるか否かの切り替えは、上流側の入液口５２に設けられたバルブ５３を開閉することによって行われる一方で、内部容器５１の下流側の流出口５４は常時開放された状態にあるため、バルブ５３の閉塞時においても、内部の混合用薬剤が流出口５４を介して原水流路５５に流出し、或いは原水流路５５の原水が流出口５４を介して内部に流入して、内部容器５１に収容された混合用薬剤が時間の経過とともに希釈され、混合させたい時に原水に充分に添加させることができない場合がある。
【０００５】
本発明は、薬剤収容室に収容された混合用薬剤が未使用時に希釈されるの効果的に回避できると共に、原水に混合用薬剤を添加混合するための開閉操作をスムースに行うことのできる混合用アタッチメントを提供することを目的とする。
【０００６】
【課題を解決するための手段】
本発明は、原水流路と隣接する薬剤収容室に収容された混合用薬剤を原水に添加混合しつつ下流側に流下させる混合用アタッチメントであって、前記薬剤収容室の上流側端部における流入口に設けられた前記混合用薬剤の逆流防止機構と、前記薬剤収容室の下流側端部に設けられた、前記原水流路への流出口を外部からの操作によって開閉する流出口開閉手段とを備え、前記流出口開閉手段による前記流出口の開放操作によって、前記原水流路を流下する原水に引き込むようにして前記薬剤収容室内の混合用薬剤を前記原水流路内の原水に流出させ、且つ前記原水の圧力によって前記逆流防機構を開放して前記原水を前記薬剤収容室内に流入させて、前記流入口から前記薬剤収容室を経て前記原水流路内に流出する前記混合用薬剤を混合した原水の流れを生じさせつつ、前記混合用薬剤を前記原水に添加混合する混合用アタッチメントを提供することにより、上記目的を達成したものである。
【０００７】
【発明の実施の形態】
本発明の好ましい第１実施形態に係る混合用アタッチメント１０は、図１に示すように、例えば、散布器具であるシャワー器具１３と、シャワー水供給ホース１４との間に介在して取り付けられ、原水であるシャワー水に浴用薬剤、洗浄用薬剤、香料薬剤、スキンケア用薬剤等の身体用薬剤を混合用薬剤として添加混合しつつ下流側のシャワー装置１３に向けて流下させて、これらの混合用薬剤が混合されたシャワー水によってシャワーを行うことを可能にするものである。
【０００８】
すなわち、本第１実施形態の混合用アタッチメント１０は、図２（ａ）及び（ｂ）に示すように、薬剤収容室１１から原水流路１５へ向かう流出口１６を閉塞して、原水流路１５を通過する主流れＸによってシャワー水をシャワー器具１３に送り出している状態から（（ａ）参照）、必要に応じて薬剤供給押釦１７を摺動バネ１８の付勢力に抗して押し込んで流出口１６を開放することにより、薬剤収容室１１の上流側端部の流入口１９から流入して流出口１６から流出するシャワー水の副流れＹを生じさせ、この副流れＹに薬剤収容室１１に収容された混合用薬剤を帯同させて、主流れＸに混合用薬剤を添加混合しつつシャワー水をシャワー器具１３に送り出すように流下させる装置である（（ｂ）参照）。
【０００９】
本第１実施形態の混合用アタッチメント１０は、薬剤収容室１１の上流側端部における流入口１９に設けられた、逆流防止機構としての混合用薬剤の逆流防止弁２０と、薬剤収容室１１の下流側端部に設けられた、原水流路１５への流出口１６を外部からの操作によって開閉する流出口開閉手段としての薬剤供給押釦１７とを備える。そして、薬剤供給押釦１７による流出口１６の開放操作によって、原水流路１５を流下するシャワー水の主流れＸに引き込むようにして薬剤収容室１１内の混合用薬剤を原水流路１５内のシャワー水に流出させ、且つシャワー水の圧力によって逆流防止弁２０を開放してシャワー水を薬剤収容室１１内に流入させて、流入口１９から薬剤収容室１１を経て原水流路１５内に流出する混合用薬剤を混合したシャワー水の流れ（副流れＹ）を生じさせつつ、混合用薬剤をシャワー水に添加混合する。
【００１０】
本第１実施形態によれば、混合用アタッチメント１０は、公知の各種のプラスチック成形加工方法によって形成された合成樹脂製の略円柱状の装置であって、上端部にはシャワー器具１３が螺合装着される装着穴２１が開口形成されている。またその下端部には、シャワー水供給ホース１４が装着される中空の装着突起２２が設けられている。そして、装着穴２１と装着突起２２との間を貫通するようにして、混合用アタッチメント１０を縦断する略楕円断面の原水流路１５が、図３にも示すように、混合用アタッチメント１０の円形断面を２分割した一方の半円部分に形成されている。また円形断面を分割した他方の半円部分には、透明な略半円弧状断面の外壁部材２３を装着することにより、原水流路１５と隣接する薬剤収容室１１が形成され、この薬剤収容室１１には、浴用薬剤やスキンケア用薬剤、香料薬剤等の身体用薬剤が混合用薬剤として収容される。なお、薬剤収容室１１に収容される混合用薬剤は、液体であることが好ましいが、それ自身が液体状の薬剤である必要は必ずしもない。乳濁液や懸濁液等の分散系のものや、ゲル状、固体状あるいは粉粒状のものであっても、薬剤収容室１１に収容しておき、薬剤収容室１１に流入したシャワー水に溶解させることによって混合用の薬剤として使用できる。
【００１１】
また、本第１実施形態によれば、薬剤収容室１１には、シャワー水の主流れＸの上流側端部（図２の下端部）に、シャワー水を薬剤収容室１１に流入させる円形断面の流入口１９が開口形成されていると共に、下流側端部（図２の上端部）には、原水流路１５との間の仕切壁２４を貫通して円形断面の流出口１６が開口形成されている。流入口１９の上端部はすり鉢状に切り欠かれ、ここに球状の第１ボール弁２５が着脱可能に装着されて、混合用薬剤をシャワー水に混合しない時に、混合用薬剤が流入口１９から原水流路１５に漏れ出ないようにするための逆流防止弁２０としての機能を果たすことになる。また流出口１６には、後述する薬剤供給押釦１７の開閉摺動部１２が摺動可能に挿入配置されて、当該流出口１６の開閉を切り替えることができるようになっている。
【００１２】
さらに、本第１実施形態によれば、図４にも示すように、薬剤収容室１１の外壁部材２３には、その上端部分に、上下２箇所の片部が内側に突出する略円形形状の薬剤供給口２６が開口形成されていると共に、その下端部分には、左右２箇所の片部が内側に突出する略円形形状の水抜き開口２９が開口形成されている。薬剤供給口２６の薬剤収容室１１側の縁部は、すり鉢状に切り欠かれていて、ここに球状の第２ボール弁２７が着脱可能に装着されることにより、薬剤供給口２６を開閉して、必要に応じて薬剤収容室１１に混合用薬剤を補充することができるようになっている。すなわち、第２ボール弁２７は、薬剤供給押釦１７の開閉摺動部１２との間に介在する摺動バネ１８によって外側に付勢されて、薬剤供給口２６の縁部に密着することにより当該薬剤供給口２６を閉塞している状態から、摺動バネ１８の付勢力に抗して第２ボール弁２７を押し込みつつ薬剤供給口２６に挿入される、後述する供給容器４０（図６参照）の薬剤供給ノズル４１によって開放されて、混合用薬剤が供給容器４０から薬剤収容室１１の内部に補充されることになる。
【００１３】
一方、水抜き開口２９には、当該水抜き開口２９を開閉する水抜き押釦３０が、外側に付勢された状態で取り付けられている。すなわち、水抜き押釦３０は、水抜き開口２９よりも径の小さい同心状の略円形断面を有することにより、水抜き開口２９の内周面との間に隙間３７を保持し、且つ水抜き開口２９の内周面と当接する片部を上下に備え、外壁部材２３の外側に突出して摺動可能に配置される。また水抜き押釦３０の薬剤収容室１１側の端部には、水抜き開口２９の全体を覆う大きさを有する円盤部材３２が取り付けられており、この円盤部材３２と仕切壁２４との間に介在する水抜きバネ３３によって、円盤部材３２を外側に付勢して当該円盤部材３２を水抜き開口２９の縁部に内側から密着させることにより、当該水抜き開口２９を閉塞している状態から、水抜きバネ３３の付勢力に抗して水抜き押釦３０を押し込んで円盤部材３２の密着状態を開放することにより、水抜き開口２９の水抜き押釦３０との間の隙間３７から薬剤収容室１１の内部の水を外部に流出させることができるようになっている。なお、円盤部材３２の水抜き押釦３０側の面には、Ｏリング３６が取り付けられており、円盤部材３２を水抜き開口２９の縁部に密着させた際に、確実な密着状態が得られるようになっている。
【００１４】
さらにまた、本第１実施形態によれば、薬剤収容室１１の上端部には、薬剤収容室１１の内部に空気を取り込むための空気弁３１が設けられている。すなわち、薬剤収容室１１の上方には、これの天井面から外壁部材２３の外側に至る空気導入路３４が形成されていると共に、空気導入路３４の薬剤収容室１１側の開口縁部はすり鉢状に切り欠かれており、ここに球状の第３ボール弁３５が着脱可能に装着されている。そして、薬剤収容室１１の内部にシャワー水や混合用薬剤による水圧が負荷されている状態では、第３ボール弁３５は外側に押し出され、開口縁部に密着して空気導入路３４を閉塞することにより、シャワー水や混合用薬剤が空気導入路３４から流出するのを防止する。一方、薬剤収容室１１の内部が負圧あるいは大気圧となった場合には、第３ボール弁３５は下方に落下移動して密着状態が開放されることにより、空気導入路３４を介して薬剤収容室１１の内部に空気を取り込むことができるようになっている。
【００１５】
本第１実施形態によれば、薬剤収容室１１から原水流路１５への流出口１６を開閉する薬剤供給押釦１７は、図２（ａ），（ｂ）及び図３に示すように、外壁部材２３の反対側に位置する混合用アタッチメント１０の外周面から、原水流路１５を横断すると共に、仕切壁２４を貫通する流出口１６に挿入されて、その先端部が薬剤収容室１１の内部に突出する円柱ロッド状の部材であって、開閉摺動部１２が流出口１６に沿って摺動するように取り付けられる。すなわち、薬剤供給押釦１７は、これの先端部分と第２ボール弁２７との間に介在する摺動バネ１８によって外側に付勢され、押釦部３８を混合用アタッチメント１０の外周面から外側に突出させている。また開閉摺動部１２には、これの軸方向に沿って縦長の切り欠き溝３９が上側の側面に開口して形成されている。薬剤供給押釦１７が外側に付勢されて押釦部３８が突出している状態では、この切り欠き溝３９は仕切壁２４よりも原水流路１５側に位置し、開閉摺動部１２の先端部分に装着されたＯリング３６を仕切壁２４における流出口１６の開口縁部に当接させて、薬剤収容室１１と原水流路１５とを連通することなく流出口１６を遮断した状態で閉塞している（図２（ａ）及び図３参照）。一方、薬剤供給押釦１７の押釦部３８を摺動バネ１８の付勢力に抗して薬剤収容室１１側に押し込めば、開閉摺動部１２がスライド移動して、切り欠き溝３９は原水流路１５と薬剤収容室１１とに跨って配置されることになり、当該切り欠き溝３９を介して原水流路１５と薬剤収容室１１とが連通して、流出口１６が開放された状態となる（図２（ｂ）参照）。
【００１６】
そして、本第１実施形態の混合用アタッチメント１０によれば、薬剤収容室１１に収容された混合用薬剤が未使用時に希釈されるのを効果的に回避できると共に、シャワー水に混合用薬剤を添加混合するための開閉操作をスムースに行うことができる。すなわち、図２（ａ）に示すように、薬剤供給押釦１７の押釦部３８を外側に突出させて薬剤収容室１１から原水流路１５へ向かう流出口１６が閉塞している状態では、原水流路１５を通過する主流れＸによって混合用薬剤が混合されていないシャワー水をシャワー器具１３に送り出すことができると共に、薬剤収容室１１の流入口１９及び流出口１６は、逆流防止弁２０及び薬剤供給押釦１７によって遮断されて、内部に収容した混合用薬剤が原水流路１５に漏れ出たり、シャワー水が内部に流入することがなく、これらによって未使用時における混合用薬剤の希釈を効果的に回避することが可能になる。
【００１７】
また、混合用薬剤をシャワー水に混合したい場合には、図２（ｂ）に示すように、薬剤供給押釦１７の押釦部３８を内側に押し込めば、流出口１６が開放され、原水流路１５を流下するシャワー水に引き込まれるようにして薬剤収容室１１内の混合用薬剤が原水流路１５内のシャワー水の主流れＸに流入し、且つシャワー水の主流れＸによる圧力によって逆流防止弁２０が開放されてシャワー水が薬剤収容室１１内に流入する。これによって、流入口１９から薬剤収容室１１を経て原水流路１５内に流出する混合用薬剤を混合したシャワー水の副流れＹを生じさせつつ、混合用薬剤をシャワー水の主流れＸに添加混合することができ、混合用薬剤を含むシャワー水をシャワー器具１３に送り出すことが可能になる。ここで、流出口１６を開放状態とする切り欠き溝３９は、開閉摺動部１２の上側の側面に開口形成されており、原水流路１５内において、シャワー水の主流れＸの流下方向に向かって開放されているので、混合用薬剤のシャワー水への供給及び混合が良好に行われることになる。
【００１８】
さらに、押釦部３８を押し込んでいる指を離せば、摺動バネ１８の付勢力によって開閉摺動部１２は外側にスライド移動し、流出口１６が閉塞すると共に、原水の圧力により逆流防止弁２０が閉塞されて副流れＹが生じなくなり、混合用薬剤の流出が遮断される。このように、本第１実施形態の混合用アタッチメント１０によれば、薬剤供給押釦１７の押釦部３８を押し込んだり、押し込んだ指を離すだけの簡単な動作によって、シャワー水に混合用薬剤を添加混合するための開閉操作をスムースに行うことが可能になる。
【００１９】
そして、本第１実施形態の混合用アタッチメント１０によれば、シャワー水に添加混合するべく使用されて減少した混合用薬剤を、薬剤収容室１１に容易に補充することができる。薬剤収容室１１に混合用薬剤を補充するには、まず使用された混合用薬剤と入れ替わって収容されているシャワー水を薬剤収容室１１から排除する。すなわち、図５（ａ）に示すように、水抜き開口２９に取り付けられた水抜き押釦３０を、水抜きバネ３３の付勢力に抗して押し込んで円盤部材３２の密着状態を開放するだけの簡単な操作によって、水抜き開口２９の水抜き押釦３０との間の隙間３７から薬剤収容室１１の内部のシャワー水を外部に流出させてこれを排除することができる。このような水抜き操作の際には、空気弁３１は開放され、空気導入路３４を介して薬剤収容室１１の内部に空気が取り込まれる。また、シャワー器具１３の内部に滞留するシャワー水もまた、流入口１６を介して薬剤収容室１１の内部に流入した後に、水抜き開口２９から外部に排除される。
【００２０】
次に、図５（ｂ）に示すように、空になった薬剤収容室１１の内部に、図６に示す供給装置４０から混合用薬剤を注入して当該混合用薬剤を補充する。すなわち、供給装置４０の薬剤供給ノズル４１の先端部を薬剤供給口２６に挿入し、摺動バネ１８の付勢力に抗して第２ボール弁２７を薬剤収容室１１に押し込めば、第２ボール弁２７による薬剤供給口２６の閉塞状態が開放されるので、この状態で容器本体４２の側面を押圧することにより、供給容器４０から押し出されるように流出して混合用薬剤が薬剤収容室１１にスムースに注入補充されることになる。
【００２１】
ここで、供給容器１２は、合成樹脂製の容器本体４２に補充用の混合用薬剤を収容したものであって、容器本体４２の首部に装着されたキャップ部材４３の薬剤供給ノズル４１から、混合用薬剤を注出できるようになっている。薬剤供給ノズル４１は、その先端部の断面形状が薬剤供給口２６の開口形状と合致する、円形の上下２箇所が内側に食い込んだ円形とは異なる特殊な断面形状を備えている。したがって、本第１実施形態によれば、誤った種類の混合用薬剤が薬剤収容室１１に注入されるのを効果的に回避することができる。すなわち、薬剤供給口２６の開口形状と合致する先端部の断面形状を備える薬剤供給ノズル４１しか、薬剤供給口２６に挿入して第２ボール弁２７を押し込むことができないので、補充すべき混合用薬剤を、このような薬剤供給ノズル４１を有する供給容器４０にのみ収容しておくことにより、別の容器に収容された他の種類の液剤は、薬剤供給ノズルによって第２ボール弁２７を押し込むことができないため、当該補充すべき混合用薬剤とは異なる誤った種類の混合用薬剤が薬剤収容室１１に注入されるのを容易に防止することが可能になる。
【００２２】
図７（ａ）及び（ｂ）は、本発明の第２実施形態に係る混合用アタッチメント７０を示すものである。本第２実施形態の混合用アタッチメント７０によれば、薬剤収容室１１から原水流路１５への流出口１６を開閉する薬剤供給押釦７１は、上記第１実施形態の薬剤供給押釦１７と同様に、外壁部材２３と反対側に位置する混合用アタッチメント７０の外周面から、原水流路１５を横断すると共に、仕切壁２４を貫通する流出口１６に挿入されて薬剤収容室１１の内部に突出する円柱ロッド状の部材であって、開閉摺動部７２が流出口１６に沿って摺動するように取り付けられる。また、薬剤供給押釦７１は、薬剤収容室１１への突出部分７３が、摺動バネ７４の内側に挿入配置されると共に、一端が外壁部材２３の内側面に他端が突出部分７３の基端部分に係止される摺動バネ７４によって外側に付勢され、押釦部７５を混合用アタッチメント７０の外周面から外側に突出させている。また開閉摺動部７２には、これの軸方向に沿って縦長の切り欠き溝孔７６が開閉摺動部７２の側方の側面を貫通して形成されている。薬剤供給押釦７１の押釦部７５が外側に突出している状態では、この切り欠き溝孔７６は仕切壁２４よりも原水流路１５側に位置し、Ｏリング３６を仕切壁２４における薬剤収容室１１側の開口縁部に当接させて流出口１６を遮断する。一方、薬剤供給押釦７１の押釦部７５を薬剤収容室１１側に押し込めば、開閉摺動部７２がスライド移動して、切り欠き溝孔７６は原水流路１５と薬剤収容室１１とに跨って配置されることになり、当該切り欠き溝孔７６を介して流出口１６が開放された状態となる。このような構成の薬剤供給押釦７１によれば、より安定した状態で流出口１６の開閉操作を行うことが可能になると共に、切り欠き溝孔７６を介してよりスムースに薬剤収容室１１内の混合用薬剤をシャワー水と共に原水流路１５へ流出させることが可能になる。なお、切り欠き溝孔７６は、開閉摺動部７２の側方の側面に開口しており、主流れＸの流下方向と逆の方向には開放されていないので、混合用薬剤のシャワー水への供給及び混合が良好に行われることになる。
【００２３】
また、本第２実施形態に係る混合用アタッチメント７０によれば、原水流路１５の管径が、流出口１６を挟んだ上流側１５ａよりも下流側１５ｂの方が大きくなっている。これによって、流出口１６を開放した際に、原水流路１５を流下するシャワー水に混合用薬剤を引き込むための吸引効果が向上するので、混合用薬剤のシャワー水への供給及び混合が、一層良好に行なわれることになる。
【００２４】
さらに、本第２実施形態によれば、薬剤収容室１１の外壁部材２３には、その中央部分に円形形状の薬剤供給口７７が開口形成されていると共に、この薬剤供給口７７の薬剤収容室１１側には、詮部材７８が開閉バネ７９によって外側に付勢された状態で設けられている。開閉バネ７９は、仕切壁２４に設けられたガイド筒８０に装着されて仕切壁２４と詮部材７８との間に介在し、詮部材７８を外側に押圧しつつ付勢する。詮部材７８は、開閉バネ７９の付勢力に抗して薬剤供給口７７に押し込むように挿入される供給容器４０の薬剤供給ノズル４１（図６参照）によって開放され、混合用薬剤が供給容器４０から薬剤収容室１１の内部に補充されることになる。ここで、詮部材７８が薬剤収容室１１の内側に押し込まれた際に、当該詮部材７８は、ガイド筒８０に案内されつつ移動するので、より安定した状態で薬剤供給口７７の開閉と、混合用薬剤の補充を行うことが可能になる。
【００２５】
さらにまた、本第２実施形態によれば、薬剤収容室１１の外壁部材２３には、その下端部分に円形形状の水抜き開口８１が開口形成されていると共に、この水抜き開口８１には、当該水抜き開口８１を開閉する水抜き押釦８２が、外側に付勢された状態で設けられている。すなわち、水抜き押釦８１は、フランジ部８２をＯリング３６を介在させつつ水抜き開口８１の薬剤収容室１１側の開口縁部に当接させることにより水抜き開口８１を閉塞した状態で、外壁部材２３から外側に突出することなく水抜き開口８１に装着される押圧部８３と、押圧部８３の薬剤収容室１１側に接合一体化したロッド部８４とからなり、フランジ部８２と仕切壁２４との間に介在する水抜きバネ８５によって、外側に付勢された状態で設けられている。また、ロッド部８４は、仕切壁２４を摺動可能に貫通すると共に、原水流路１５を貫通して、その先端部が原水流路１５の壁面に形成されたガイド孔８６にスライド可能に挿入配置される。さらに、ロッド部８４の中間部分は、拡径部８７となっていて、水抜き押釦８１が押し込まれることなく水抜き開口８１を閉塞している状態では、この拡径部８７の外周面はＯリング３６を介して仕切壁２４の貫通孔の内周面と強固に密着し、混合用薬剤が薬剤収容室１１から原水流路１５へ漏れ出るのを防止している。さらにまた、押圧部８３の外側面には、円形の陥没凹部８８が形成されており、この陥没凹部８８に例えば供給容器４０の薬剤供給ノズル４１を係止して、水抜き押釦８２の押圧操作をスムースに行うことができるようになっている。そして、例えば薬剤供給ノズル４１を介した水抜き押釦８２の押圧操作により押圧部８３を薬剤収容室１１の内側に押し込むことによって、薬剤収容室１１の内部の水が、水抜き開口８１を経て外部に排除されることになる。ここで、ロッド部８４の先端はガイド孔８６によって支持されていると共に、ガイド孔８６によって案内されてスライド移動するので、水抜き押釦８２の押圧操作をより安定した状態で行うことが可能になると共に、水抜き押釦８１の押圧部８３は外壁部材２３の外側に突出していないので、シャワー器具１３を用いてシャワーを行う際の障害となることがない。
【００２６】
また、本第２実施形態によれば、薬剤収容室１１の上流側端部に開口形成された流入口１９には第４ボール弁８９が着脱可能に装着されて逆流防止弁としての機能を果していると共に、薬剤収容室１１の上端部には、薬剤収容室１１の内部に空気を取り込むための、円盤部材からなる空気弁９０が設けられている。空気弁９０は、空気導入路３４への連通孔９１を開閉して、空気導入路３４を閉塞したり、空気導入路３４を介して薬剤収容室１１の内部に空気を取り込むことを可能にする。
【００２７】
そして、本第２実施形態の混合用アタッチメント７０によっても、薬剤収容室１１に収容された混合用薬剤が未使用時に希釈されるのを効果的に回避できると共に、シャワー水に混合用薬剤を添加混合するための開閉操作をスムースに行うことができる。すなわち、薬剤供給押釦７１の押釦部７５を押し込むことなく流出口１６が閉塞している状態では、薬剤収容室１１の流入口１９及び流出口１６は、第４ボール弁８９及び薬剤供給押釦７１によって遮断されて、内部に収容した混合用薬剤が原水流路１５に漏れ出たり、シャワー水が内部に流入することがなく、これらによって未使用時における混合用薬剤の希釈を効果的に回避することが可能になる。また、混合用薬剤をシャワー水に混合したい場合には、薬剤供給押釦７１の押釦部７５を内側に押し込めば、流出口１６が開放され、原水流路１５を流下するシャワー水に引き込まれるようにして薬剤収容室１１内の混合用薬剤が原水流路１５内のシャワー水の主流れに流入し、且つシャワー水の主流れによる圧力によって第４ボール弁８９が開放されてシャワー水が薬剤収容室１１内に流入する。これによって、流入口１９から薬剤収容室１１を経て原水流路１５内に流出する混合用薬剤を混合したシャワー水の副流れを生じさせつつ、混合用薬剤をシャワー水の主流れに添加混合することができ、混合用薬剤を含むシャワー水をシャワー器具１３に送り出すことが可能になる。
【００２８】
なお、本発明は上記実施形態に限定されることなく種々の変更が可能である。例えば、本発明の混合用アタッチメントは、シャワー水に浴用薬剤やスキンケア用薬剤等の身体用薬剤を混合して送り出すものに限定されることなく、シャワー器具以外のその他の散布器具に取り付けて、各種の家庭用消費薬剤に混合用薬剤を混合するべく採用することもできる。また、流出口開閉手段は、ロッド状の開閉摺動部や押釦である必要は必ずしもない。さらに、本発明の混合用アタッチメントは、シャワー器具等の散布器具に着脱可能に取り付けて用いることができる他、これらの散布器具に予め一体として組み込まれている状態で用いることもできる。さらにまた、散布器具への取付位置も任意であり、ホース等の管路に取り付けて使用することもできる。
【００２９】
【発明の効果】
本発明の混合用アタッチメントによれば、薬剤収容室に収容された混合用薬剤が未使用時に希釈されるの効果的に回避できると共に、原水に混合用薬剤を添加混合するための開閉操作をスムースに行うことができる。
【図面の簡単な説明】
【図１】本発明の第１実施形態に係る混合用アタッチメントをシャワー器具に取り付けて使用する状況を説明する側面図である。
【図２】（ａ）及び（ｂ）は本発明の第１実施形態に係る混合用アタッチメントにより混合用薬剤を原水に混合する状況を説明する断面図である。
【図３】図２（ａ）のＡ−Ａに沿った断面図である。
【図４】図２（ａ）を右側から視た正面図である。
【図５】（ａ）は薬剤収容室内の原水を排除する状況を説明する断面図、（ｂ）は薬剤収容室内に混合用薬剤を補充する状況を説明する断面図である。
【図６】供給容器の構成を説明する斜視図である。
【図７】（ａ）は本発明の第２実施形態に係る混合用アタッチメントの（ｂ）のＢ−Ｂに沿った断面図、（ｂ）は（ａ）を右側から視た正面図である。
【図８】従来の混合用アタッチメントを説明する部分破断側面図である。
【符号の説明】
１０，７０  混合用アタッチメント
１１  薬剤収容室
１２，７２  開閉摺動部
１３  シャワー器具
１４  シャワー水供給ホース
１５  原水流路
１６  流出口
１７，７１  薬剤供給押釦（流出口開閉手段）
１８，７４  摺動バネ    ｀されており、この陥没凹部８８に例えば供給容器
１９  流入口
２０  逆流防止弁（逆流防止機構）
２３  外壁部材
２４  仕切壁
２６，７７  薬剤供給口
２９，８１  水抜き開口
３０，８２  水抜き押釦
３１，９０  空気弁
３３，８５  水抜きバネ
３６  Ｏリング
３７  隙間
３８，７５  押釦部
３９  切り欠き溝
４０  供給容器
４１  薬剤供給ノズル
７６  切り欠き溝孔
７８  詮部材
７９  開閉バネ
８６  ガイド孔
Ｘ    主流れ
Ｙ    副流れ
【図１】
0004756779.tif 000002
【図２】
0004756779.tif 000003
【図３】
0004756779.tif 000004
【図４】
0004756779.tif 000005
【図５】
0004756779.tif 000006
【図６】
0004756779.tif 000007
【図７】
0004756779.tif 000008
【図８】
0004756779.tif 000009